(57)【要約】【課題】血圧測定装置本体とカフとの間の接続が容易で、チューブや配管部品の損傷を防止できる血圧測定装置を提供する。【解決手段】コネクタ体１０は、コネクタ体１０とコネクタ体２０とを着脱可能に固定するための２つのラッチ板２、３を有している。２つのラッチ板２、３は、コネクタ筐体１の流体経路１ｃとコネクタ体２０の流体経路２０ｄとの間を気密するためのＯリング４による気密部分と異なる位置であるコネクタ体２０の段部２０ｃでコネクタ体２０をコネクタ体１０に対して固定可能に構成されている。【選択図】図６
2007259911.tif 000002
【特許請求の範囲】
【請求項１】
膨縮可能な流体袋を有するカフと、前記流体袋を膨縮させるための膨縮部材を有する血圧測定装置本体と、前記膨縮部材に接続された可撓性の接続管と、前記接続管および前記流体袋を流体結合するための接続部材とを備えた血圧測定装置であって、
前記接続部材は、
第１の流体経路を有し、かつ前記接続管側に接続された第１のコネクタ部材と、
第２の流体経路を有し、かつ前記カフに接続された第２のコネクタ部材と、
前記第１の流体経路と前記第２の流体経路との間を気密するための気密部材と、
前記第１のコネクタ部材と前記第２のコネクタ部材とを着脱可能に固定するための固定部材とを有し、
前記固定部材は、前記気密部材による気密部分と異なる位置で前記第１および第２のコネクタ部材の少なくともいずれかを固定するように構成されている、血圧測定装置。
【請求項２】
前記第１および第２のコネクタ部材の一方は段部を有し、
前記固定部材は、前記第１および第２のコネクタ部材の他方に取り付けられ、かつ前記段部に係合する状態と係合しない状態との間で移行できるように寸法変更可能な機械的構成を有していることを特徴とする、請求項１に記載の血圧測定装置。
【請求項３】
前記固定部材は、相対的にスライド可能に配置された２つのラッチ板を有し、前記２つのラッチ板の各々は孔を有し、前記２つのラッチ板のスライドにより２つの前記孔の重なりあった開口部の寸法が変化するように構成されていることを特徴とする、請求項２に記載の血圧測定装置。
【請求項４】
前記２つのラッチ板は、２つの前記孔の重なりが少ない第１の状態となるように付勢部材により付勢されており、外力により前記付勢部材による付勢力に抗して相対的にスライドして２つの前記孔の重なりが多い第２の状態となるように構成されていることを特徴とする、請求項３に記載の血圧測定装置。
【請求項５】
前記２つのラッチ板の各々に設けられた前記孔は、真円および長円のいずれかの形状を有していることを特徴とする、請求項３または４に記載の血圧測定装置。
【請求項６】
前記固定部材は、前記第１および第２のコネクタ部材の一方の部材に回転可能に取り付けられ、回転することにより前記第１および第２のコネクタ部材の他方の部材を前記一方の部材との間で挟み込んで固定するよう構成されていることを特徴とする、請求項１に記載の血圧測定装置。
【請求項７】
前記固定部材は、前記第１および第２のコネクタ部材の一方に固定された爪部を有し、
前記第１および第２のコネクタ部材の他方は拡径部と、前記拡径部に設けられた切欠部とを有し、
前記爪部は、前記切欠部に挿通された後に、前記第１および第２のコネクタ部材を相対的に回転させることにより前記拡径部による段部に係合するように構成されていることを特徴とする、請求項１に記載の血圧測定装置。
【請求項８】
前記第１のコネクタ部材と、前記第２のコネクタ部材と、前記カフの前記接続部材が固定される部分との少なくともいずれかに発光機能を持たせたことを特徴とする、請求項１〜７のいずれかに記載の血圧測定装置。
【発明の詳細な説明】
【技術分野】
【０００１】
本発明は、血圧測定装置に関し、特に、カフと血圧測定装置本体との接続構造を有する血圧測定装置に関するものである。
【背景技術】
【０００２】
近年、高血圧を要因とする生活習慣病の早期発見や血圧管理のために血圧計が広く普及している。通常、血圧値の測定に際しては、動脈を圧迫する流体袋を内包するカフを生体の体表面に巻き付け、巻き付けた流体袋を膨張・収縮させることによって動脈内に生じる動脈圧脈波の検出を行ない、これによって血圧値の測定が行なわれる。
【０００３】
ここで、カフとは、内腔を有する帯状の構造物であって生体の被測定部位（たとえば上腕や手首等）に巻き付けが可能なものを意味し、気体や液体等の流体を内腔に注入することによって上下肢の動脈圧測定に利用されるもののことを指す。したがって、カフは、流体袋とこの流体袋を生体に巻き付けるための巻付手段とを含めた概念を示す言葉であり、腕帯あるいはマンシェットと呼ばれることもある。
【０００４】
睡眠中の血圧が高い病態を夜間高血圧と言うが、夜間高血圧は脳や心臓の疾患、突然死の強い危険因子とされている。このため、睡眠中の血圧を測定することが高血圧の診断・治療に有用である。一般に、睡眠中の血圧測定には自由行動下血圧モニタ（ambulatory blood pressure monitor：ＡＢＰＭ）が用いられてきた。これは、小型化した自動血圧測定装置を常時携行し、その自動血圧測定装置にチューブで接続されたカフを上腕に常時装着し、定期的・自動的に血圧の測定・記録を行なうものである。
【０００５】
しかし、睡眠中には血圧測定装置本体を寝巻きに装着することが難しい上、睡眠の邪魔にもなるため、血圧測定装置本体だけは身体から外し、近くに置いて就寝することも多い。ところが、そのようにすると夜間にトイレに行く際、カフをいちいち外さなければならない。これは被検者にとって煩雑であるうえ、被検者が装置に慣れていない場合、カフを適正に装着できない怖れがある。また、カフを外さずに血圧測定装置本体を手で持ち運んで移動するということもできるが、片手がふさがるため不便であり、被検者や環境によっては歩行に危険を伴う怖れもある。
【０００６】
また、最近では家庭血圧測定装置に睡眠中測定の機能をつけたものがある。しかし、この場合も同様に、カフと血圧測定装置本体がチューブで接続されているため、カフをいちいち着脱するか、血圧測定装置本体を手で持ち運ぶ必要がある。
【０００７】
そこで、血圧測定装置本体とカフを取り外してしまえば、血圧測定装置本体をわざわざ持ち歩かなくてもすむ。ところが、従来の血圧測定装置のチューブ接続は、空気の漏れを防ぐため、配管部品にチューブを強く押し込んで接続されており、容易に抜けない構造になっている（特許文献１〜３参照）。
【特許文献１】特開平６−１５４１７４号公報
【特許文献２】特開２００２−３６０５２７号公報
【特許文献３】特開２０００−８３９１２号公報
【発明の開示】
【発明が解決しようとする課題】
【０００８】
上記の従来の血圧測定装置のチューブ接続は、頻繁な着脱を想定していない。このため、無理にチューブの配管部品への着脱を繰り返すと、チューブが傷んで空気漏れが起ったり、配管部品を損傷する怖れがある。また、睡眠中は周囲が暗いのが一般的であろうから、そのようなチューブの着脱を行なうことは容易ではない。
【０００９】
本発明は、上記の課題に鑑みてなされたものであり、その目的は、血圧測定装置本体とカフとの間の接続が容易で、チューブや配管部品の損傷を防止できる血圧測定装置を提供することである。
【課題を解決するための手段】
【００１０】
本発明の血圧測定装置は、膨縮可能な流体袋を有するカフと、流体袋を膨縮させるための膨縮部材を有する血圧測定装置本体と、膨縮部材に接続された可撓性の接続管と、接続管および流体袋を流体結合するための接続部材とを備えた血圧測定装置であって、その接続部材は、第１の流体経路を有しかつ接続管側に接続された第１のコネクタ部材と、第２の流体経路を有しかつカフに接続された第２のコネクタ部材と、第１の流体経路と第２の流体経路との間を気密するための気密部材と、第１のコネクタ部材と第２のコネクタ部材とを着脱可能に固定するための固定部材とを有している。固定部材は、気密部材による気密部分と異なる位置で第１および第２のコネクタ部材の少なくともいずれかを固定するように構成されている。
【００１１】
本発明の血圧測定装置によれば、固定部材が気密部分と異なる位置でコネクタ部材同士を着脱可能に固定している。これにより、気密部材に負担をかけることなく、第１および第２のコネクタ部材の着脱が可能となるため、第１および第２のコネクタ部材の着脱の際における気密部材の損傷が防止できる。また第１および第２のコネクタ部材の着脱の際に、可撓性の接続管を着脱する必要がないため、この接続管が損傷することもない。したがって、第１および第２のコネクタ部材の着脱を繰り返しても、流体経路の気密を確保することができる。また固定部材が気密部分と異なる位置でコネクタ部材同士を着脱可能に固定しているため、気密位置と固定位置とが同じものと比較して、本体とカフとの間の接続を容易にすることができる。
【００１２】
上記の血圧測定装置にあっては、第１および第２のコネクタ部材の一方は段部を有し、固定部材は、第１および第２のコネクタ部材の他方に取り付けられ、かつ段部に係合する状態と係合しない状態との間で移行できるように寸法変更可能な機械的構成を有していることが好ましい。
【００１３】
これにより固定部材を段部に係合させることができ、第１および第２のコネクタ部材を互いに固定することができる。
【００１４】
上記の血圧測定装置にあっては、固定部材は、相対的にスライド可能に配置された２つのラッチ板を有し、２つのラッチ板の各々は孔を有し、２つのラッチ板のスライドにより２つの孔の重なりあった開口部の寸法が変化するように構成されていることが好ましい。
【００１５】
これにより２つのラッチ板をスライドさせるという簡易な操作で、開口部の寸法を変えることができ、固定部材を段部に係合させることができる。
【００１６】
上記の血圧測定装置にあっては、２つのラッチ板は、２つの孔の重なりが少ない第１の状態となるように付勢部材により付勢されており、かつ外力により付勢部材による付勢力に抗して相対的にスライドして２つの孔の重なりが多い第２の状態となるように構成されていることが好ましい。
【００１７】
これにより外力を加えない状態では孔の重なりが少なくなり、その重なりあった開口部の寸法が小さくなってコネクタ部材を締め付けるため、第１および第２のコネクタ部材を互いに固定することができる。また外力を加えて２つの孔の重なりを大きくすることで、その重なりあった開口部の寸法が大きくなるため、コネクタ部材との係合を解除することができる。これにより、２つのラッチ板をスライドさせるという簡易な操作で第１および第２のコネクタ部材の着脱を行なうことが可能となる。
【００１８】
上記の血圧測定装置にあっては、２つのラッチ板の各々に設けられた孔は、真円および長円のいずれかの形状を有していることが好ましい。
【００１９】
上記の血圧測定装置にあっては、固定部材は、第１および第２のコネクタ部材の一方の部材に回転可能に取り付けられ、回転することにより第１および第２のコネクタ部材の他方の部材を一方の部材との間で挟み込んで固定するよう構成されていることが好ましい。
【００２０】
これにより固定部材を第１および第２のコネクタ部材の一方に対して回転させることで、第１および第２のコネクタ部材の着脱を容易に行なうことができる。
【００２１】
上記の血圧測定装置にあっては、固定部材は、第１および第２のコネクタ部材の一方に固定された爪部を有し、第１および第２のコネクタ部材の他方は拡径部と、その拡径部に設けられた切欠部とを有し、爪部は、切欠部に挿通された後に、第１および第２のコネクタ部材を相対的に回転させることにより拡径部による段部に係合するように構成されていることが好ましい。
【００２２】
これにより爪部を切欠部に挿通して、第１および第２のコネクタ部材を相対的に回転させることにより容易に第１および第２のコネクタ部材を固定することができる。また逆の操作を行なうことにより容易に第１および第２のコネクタ部材を脱離することができる。
【００２３】
上記の血圧測定装置にあっては、第１のコネクタ部材と、第２のコネクタ部材と、カフの前記接続部材が固定される部分との少なくともいずれかに発光機能を持たせることが好ましい。
【００２４】
これにより暗中においてもコネクタ部材またはカフが発光するため、被検者は容易にその位置を確認することができ、着脱の操作を容易に行なうことが可能となる。
【発明の効果】
【００２５】
以上説明したように本発明の血圧測定装置によれば、固定部材が気密部分と異なる位置でコネクタ部材同士を着脱可能に固定しているため、本体とカフとの間の接続が容易となり、チューブや配管部品の損傷を防止することができる。
【発明を実施するための最良の形態】
【００２６】
以下、本発明の実施の形態について図に基づいて説明する。
（実施の形態１）
図１は、本発明の実施の形態１における血圧測定装置の構成を概略的に示す斜視図である。図１を参照して、血圧測定装置１００は、カフ４０と、血圧測定装置本体６０と、エアチューブ５０と、カフ側接続部材３０と、本体側接続部材７０とを有している。カフ４０は、膨縮可能な空気袋を内部に有している。この空気袋は例えばゴム嚢（ブラッダ）である。血圧測定装置本体６０は、空気袋を膨縮させるための膨縮部材（後述するエアポンプおよびエアバルブ）を有している。エアチューブ５０は可撓性を有し、膨縮部材に接続されるものである。カフ側接続部材３０は、エアチューブ５０および空気袋を流体結合するためのものである。本体側接続部材７０は、エアチューブ５０を血圧測定装置本体６０に接続するためのものである。カフ４０は被検者の上腕などに装着されるものである。血圧測定装置本体６０は、睡眠中は身体に装着されるよりも取り外され、被験者の周りに置かれている。
【００２７】
次に、本実施の形態における血圧測定装置の主要な機能ブロックの構成について説明する。
【００２８】
図２は、図１に示した血圧測定装置の機能ブロックを示す図である。図２を参照して、
血圧測定装置本体６０の内部には、カフ４０に内包された空気袋４１にエアチューブ５０を介して空気を供給または排出するための血圧測定用エア系コンポーネント１２１が設けられている。血圧測定用エア系コンポーネント１２１には、空気袋４１内の圧力を検出する圧力検出手段である圧力センサ１１３と、空気袋４１を膨縮させるための膨縮部材１２２であるエアポンプ１１１およびエアバルブ１１２が含まれている。また血圧測定装置本体６０の内部には、血圧測定用エア系コンポーネント１２１に関連して増幅器１１６、Ａ／Ｄ（Analog/Digital）コンバータ１１７、エアポンプ駆動回路１１４およびエアバルブ駆動回路１１５が設けられている。
【００２９】
さらに、血圧測定装置本体６０には、各部を集中的に制御および監視するためのＣＰＵ（Central Processing Unit）１３１と、ＣＰＵ１３１に所定の動作をさせるプログラムや測定された血圧値などの各種情報を記憶するためのメモリ部１３４と、血圧測定結果を含む各種情報を表示するための表示部１３３と、測定のための各種指示を入力するために操作される操作部１３２と、例えば設定された時刻に血圧測定を行なうためのタイマ１３５とが設置されている。
【００３０】
圧力センサ１１３は、空気袋４１内の圧力（以下、「カフ圧」という）を検出し、検出した圧力に応じた信号を増幅器１１６に出力する。エアポンプ１１１は、空気袋４１に空気を供給する。エアバルブ１１２は、空気袋４１内の圧力を維持したり、空気袋４１内の空気を排出したりする際に開閉する。Ａ／Ｄコンバータ１１７は、増幅器１１６から出力されたアナログ信号をデジタル化し、ＣＰＵ１３１に出力する。エアポンプ駆動回路１１４は、エアポンプ１１１の駆動をＣＰＵ１３１から与えられる制御信号に基づいて制御する。エアバルブ駆動回路１１５は、エアバルブ１１２の開閉制御をＣＰＵ１３１から与えられる制御信号に基づいて行なう。
【００３１】
次に、本実施の形態の血圧測定装置における血圧測定処理の流れについて説明する。
図３は、本発明の実施の形態１における血圧測定装置の血圧測定処理の流れを示すフローチャートである。なお、このフローチャートに従うプログラムは、図２において示したメモリ部１３４に予め記憶されており、ＣＰＵ１３１がメモリ部１３４からこのプログラムを読出して実行することにより、血圧測定処理が実施される。
【００３２】
図２および図３を参照して、被験者が血圧測定装置１００の操作部１３２の操作ボタンを操作して電源をオンにすると血圧測定装置の初期化がなされ、その後、測定可能状態に移行する（ステップＳ１）。次に、血圧測定を行なうための所定の条件が整うと、ＣＰＵ１３１はエアポンプ１１１の駆動を開始し、空気袋４１のカフ圧を徐々に上昇させる（ステップＳ２）。カフ圧を徐々に加圧する過程において、カフ圧が血圧測定のために必要な所定のレベルにまで達すると、ＣＰＵ１３１はエアポンプ１１１を停止し、次いで閉じていたエアバルブ１１２を徐々に開いて空気袋４１の空気を徐々に排気し、カフ圧を徐々に減圧させる（ステップＳ３）。
【００３３】
次に、ＣＰＵ１３１は公知の手順で血圧値（最高血圧値、最低血圧値）を算出する（ステップＳ４）。具体的には、カフ圧が徐々に減圧する過程において、ＣＰＵ１３１は抽出された脈波情報に基づいて血圧値を算出する。血圧値が算出されると、算出された血圧値を表示部１０３に表示し、測定日時と共に算出された血圧値をメモリ部１３４に記憶する（ステップＳ５）。
【００３４】
なお、以上において説明した測定方式は、空気袋の減圧時に脈波を検出するいわゆる減圧測定方式に基づいたものであるが、空気袋の加圧時に脈波を検出するいわゆる加圧測定方式を採用することも当然に可能である。また睡眠中の血圧を測定する際には、例えば測定開始時刻を予め操作部１３２の操作によりメモリ部１３４に入力しておき、タイマ１３５により、その測定開始時刻から血圧測定が開始されるようにしてもよい。
【００３５】
また睡眠中の血圧測定は、寝具に取付けられた振動センサから得られる信号に基づいて体動の有無を判断し、体動が一定時間認められなかった場合に被験者が睡眠状態にあると判断して開始されるようにしてもよい。
【００３６】
次に、本実施の形態における血圧測定装置の接続部材の構成について説明する。
図４は本発明の実施の形態１における血圧測定装置の接続部材の構成を概略的に示す一部破断平面図である。また図５、図６および図７はそれぞれ図４の矢印Ａ方向から見た側面図、ＶＩ−ＶＩ線に沿う断面図、およびＶＩＩ−ＶＩＩ線に沿う断面図である。図８は本発明の実施の形態１における血圧測定装置のコネクタ体２０の構成を示す図である。
【００３７】
図４〜図７を参照して、接続部材３０は、エアチューブ５０に接続されるコネクタ体１０と、カフ４０の空気袋に接続されるコネクタ体（コネクタ部材）２０とを有している。
【００３８】
主に図６および図７を参照して、コネクタ体１０は、コネクタ筐体（コネクタ部材）１と、２つのラッチ板（固定部材）２、３と、Ｏリング（気密部材）４と、板バネ（付勢部材）５とを有している。コネクタ筐体１は、例えば有底筒状の形状を有し、その側面から突き出すチューブ接続口１ａを有している。チューブ接続口１ａは、例えば図１に示すエアチューブ５０を接続する部分であり、エアチューブ５０と流体結合するための流体経路１ｃを有している。流体経路１ｃはチューブ接続口１ａから延びて筒状の内部で開口している。
【００３９】
Ｏリング（輪状のパッキン）４は、この流体経路１ｃの内部開口端の周囲を取り囲むように配置されている。２つのラッチ板２、３の各々は、その端部に押しボタン部２ｂ、３ｂを有している。この押しボタン部２ｂ、３ｂの各々は、コネクタ筐体１の側面に開口された孔１ｂから外方へ突き出している。
【００４０】
主に図４を参照して、２つのラッチ板２、３の各々は、例えば真円形状の孔２ａ、３ａを有している。また２つのラッチ板２、３は、コネクタ筐体１の筒状内部にて相対的にスライド可能に配置されており、このスライドにより２つの孔２ａ、３ａの重なりあった開口部の寸法を変化させることができる。
【００４１】
なお押しボタン部２ｂと３ｂとの各々は、平面的に見て互いに１８０°の角度差を持って配置されていることが好ましく、チューブ接続口１ａは押しボタン部２ｂと３ｂとの各々から９０°の角度差を持って配置されていることが好ましい。
【００４２】
板バネ５は、２つのラッチ板２、３を互いに反発するようにスライド方向に付勢している。これにより、２つのラッチ板２、３は、２つの孔２ａ、３ａの重なりが少ない状態（第１の状態）となるように付勢されている。また押しボタン部２ｂ、３ｂの各々をコネクタ筐体１の外部から内部へ向けて板バネ５の付勢力に抗して押圧することができる。これにより、２つのラッチ板２、３を互いに引き合うように相対的にスライドさせて、孔２ａ、３ａの重なりが多い状態（第２の状態）とすることができる。この重なりが多い状態とは、例えば真円の孔２ａ、３ａが完全に重なり合った状態である。
【００４３】
コネクタ体２０は、図８に示すように、フランジ部２０ａと円筒部２０ｂとを有するプラグ形状となっている。フランジ部２０ａは、その一方端に向かって寸法が小さくなるテーパー形状となっており、フランジ部２０ａの他方端に円筒部２０ｂが接続されている。フランジ部２０ａと円筒部２０ｂとの境界には段部２０ｃが形成されている。コネクタ体２０の内部にはフランジ部２０ａと円筒部２０ｂとの内部を貫通する流体経路２０ｄが形成されている。このコネクタ体２０は、図９に示すように例えばカフ４０に固定されており、コネクタ体２０の流体経路２０ｄはカフ４０に内包される空気袋の内部空間に通じている。
【００４４】
主に図４を参照して、ラッチ板２、３の孔２ａ、３ａの重なりが多い状態（第２の状態）では、孔２ａ、３ａが重なりあった開口部の寸法はフランジ部２０ａの最大寸法（最大径）より大きな寸法となるように設定されている。これにより、孔２ａ、３ａが重なりあった開口部にフランジ部２０ａを挿通することができる。またラッチ板２、３の孔２ａ、３ａの重なりが少ない状態（第１の状態）では、孔２ａ、３ａが重なりあった開口部の寸法はフランジ部２０ａの最大寸法（最大径）より小さい寸法となるように設定されている。これにより、フランジ部２０ａを孔２ａ、３ａ内に挿通した後に孔２ａ、３ａの重なりが少ない状態（第１の状態）とすれば、図６に示すようにラッチ板３が段部２０ｃに係合し、コネクタ体１０とコネクタ体２０とを固定することができる。
【００４５】
このように２つのラッチ板２、３よりなる固定部材は、Ｏリング４による気密部分と異なる位置でコネクタ体２０の段部２０ｃに係合することでコネクタ体１０に対してコネクタ体２０を固定するように構成されている。
【００４６】
次に、本実施の形態の接続部材３０におけるコネクタ体１０、２０の着脱動作（取付け・取外し動作）について説明する。
【００４７】
まずコネクタ体１０、２０の取付け前においては、ラッチ板２、３は板バネ５により互いに反発するようにスライド方向に付勢されている。このため、ラッチ板２、３は、２つの孔２ａ、３ａの重なりが少ない状態（第１の状態）となっている。この状態においては孔２ａ、３ａが重なりあった開口部の寸法がフランジ部２０ａの最大寸法（最大径）より小さい寸法となっているため、その開口部にフランジ部２０ａの全体は入らない。
【００４８】
取付け動作においては、この状態から、孔２ａ、３ａの重なりあった開口部にコネクタ体２０のフランジ部２０ａが押し当てられる。これにより、開口部がフランジ部２０ａの押圧力により徐々に押し広げられていく。つまり、フランジ部２０ａの押圧力により、板バネ５の付勢力に抗して２つのラッチ板２、３が互いに引き合うように相対的にスライドして、孔２ａ、３ａの重なりが多い状態（第２の状態）へと移行する。孔２ａ、３ａの重なりが多くなって、その重なりあった開口部の寸法がフランジ部２０ａの最大寸法以上の寸法となった時点で、フランジ部２０ａの全体が孔２ａ、３ａの重なりあった開口部に挿通される。そして、その開口部に円筒部２０ｂがきた時点で、ラッチ板２、３は板バネ５の付勢力により互いに反発する方向へスライドする。これにより、孔２ａ、３ａの重なりあった開口部の寸法はフランジ部２０ａの最大寸法より小さい寸法となり、ラッチ板２、３が段部２０ｃに係合して、コネクタ体１０とコネクタ体２０とが固定される。
【００４９】
この係合状態においては、フランジ部２０ａの先端がＯリング４を介してコネクタ筐体１を押圧した状態で、コネクタ体１０とコネクタ体２０とが固定されている。これにより、Ｏリング４は弾性変形してフランジ部２０ａの先端に密着するため、コネクタ筐体１の流体経路１ｃとコネクタ体２０の流体経路２０ｄとの間が気密状態となる。
【００５０】
取外し動作においては、コネクタ筐体１の側面から突き出た押しボタン部２ｂ、３ｂを両側から挟むように内方へ押すと、２つのラッチ板２、３が互いに引き合うように相対的にスライドして、孔２ａ、３ａの重なりが多い状態（第２の状態）となる。これにより、孔２ａ、３ａの重なりあった開口部の寸法を、フランジ部２０ａの最大寸法以上の寸法とすることができ、ラッチ板３と段部２０ｃとの係合を解除することができる。この係合が解除された時点で、フランジ部２０ａを孔２ａ、３ａの重なりあった開口部から抜くことができ、コネクタ体１０からコネクタ体２０を取り外すことができる。
【００５１】
本実施の形態によれば、２つのラッチ板２、３がＯリング４による気密位置と異なる位置（段部２０ｃ）でコネクタ体１０およびコネクタ体２０を着脱可能に固定している。このため、繰返し着脱によるダメージが固定部分に生じても、気密部分にはほとんど生じない。これにより、コネクタ体１０およびコネクタ体２０の着脱の際におけるＯリング４の損傷が防止できる。よってＯリング４の損傷による流体経路１ｃと流体経路２０ｄとの間からの漏気を防止でき、流体経路１ｃと流体経路２０ｄとの間の気密を確保することができる。
【００５２】
またコネクタ体１０およびコネクタ体２０の着脱の際に、エアチューブ５０を着脱する必要がないため、このような着脱によりエアチューブ５０が損傷することもない。したがって、コネクタ体１０およびコネクタ体２０の着脱を繰り返しても、エアチューブ５０から漏気することもない。
【００５３】
また２つのラッチ板２、３がＯリング４による気密位置と異なる位置（段部２０ｃ）でコネクタ体１０およびコネクタ体２０を着脱可能に固定している。このため、固定位置において気密を考慮する必要がない。よって、従来例のように気密位置と固定位置とが同じものと比較して、コネクタ体１０およびコネクタ体２０の接続を容易にすることができる。
【００５４】
また２つのラッチ板２、３を相対的にスライドさせることにより、２つの孔２ａ、３ａの重なりあった開口部の寸法を制御することができる。これにより、その開口部にフランジ部２０ａを挿抜可能となり、かつフランジ部２０ａを挿入した後に段部２０ｃにラッチ板３を係合させてコネクタ体１０に対してコネクタ体２０を固定することもできる。このように２つのラッチ板２、３を相対的にスライドさせるという簡易な操作により、コネクタ体１０とコネクタ体２０との着脱が可能となり、被験者が片手の操作で着脱することも可能となる。
【００５５】
またコネクタ体１０とコネクタ体２０とを固定する際には、２つの孔２ａ、３ａの重なりあった開口部にフランジ部２０ａを加圧しながら押し当てればよく、被験者が押しボタン部２ｂ、３ｂを押す必要もない。この点においても、コネクタ体１０とコネクタ体２０との着脱は容易である。
【００５６】
またラッチ板２、３は、２つの孔２ａ、３ａの重なりが少ない状態となるように板バネ５により付勢されている。このため、２つの孔２ａ、３ａの重なり部分にフランジ部２０ａを挿通させた後には、被験者がラッチ板２、３に力を加えなくともラッチ板３が段部２０ｃに係合した状態が維持される。よって、固定状態における被験者の負担を軽減することができる。
【００５７】
（実施の形態２）
図１０は本発明の実施の形態２における血圧測定装置の接続部材の構成を概略的に示す一部破断平面図である。また図１１、図１２および図１３はそれぞれ図１０の矢印Ａ方向から見た側面図、ＸＩＩ−ＸＩＩ線に沿う断面図、およびＸＩＩＩ−ＸＩＩＩ線に沿う断面図である。図１４は本発明の実施の形態２における血圧測定装置のコネクタ体２０の構成を示す図である。
【００５８】
主に図１０〜図１３を参照して、本実施の形態の構成は、実施の形態１の構成と比較してラッチ板２、３に設けられた孔２ａ、３ａの形状と、コネクタ体２０のフランジ部２０ａの形状とにおいて異なっている。ラッチ板２、３に設けられた孔２ａ、３ａの形状は、例えば長円形状である。このため、２つの孔２ａ、３ａが完全に重なった場合には、重なり部分の形状は長円形状となる。
【００５９】
主に図１４を参照して、コネクタ体２０のフランジ部２０ａは、円筒部２０ｂの全周に設けられておらず、両側に設けられている。これにより、図１４（ａ）に示すようにコネクタ体２０を上から見るとフランジ部２０ａの形状は長円形状となっている。
【００６０】
なお、上記以外の構成については上述した実施の形態１の構成とほぼ同じであるため、同一または対応する部材については同一の符号を付し、その説明を省略する。
【００６１】
次に、本実施の形態の接続部材３０におけるコネクタ体１０、２０の着脱動作（取付け・取外し動作）について説明する。
【００６２】
まずコネクタ体１０、２０の取付け前においては、実施の形態１と同様、ラッチ板２、３は板バネ５により互いに反発するようにスライド方向に付勢されている。このため、ラッチ板２、３は、２つの孔２ａ、３ａの重なりが少ない状態（第１の状態）となっており、孔２ａ、３ａの重なりあった開口部にフランジ部２０ａの全体は入らない。
【００６３】
取付け動作においては、この状態から、押しボタン部２ｂ、３ｂを両側から挟むように内方へ押すと、２つのラッチ板２、３が互いに引き合うように相対的にスライドして、孔２ａ、３ａの重なりが多い状態（第２の状態）となる。これにより孔２ａ、３ａの重なりあった開口部の形状が長円形状となる。この状態で、コネクタ体２０のフランジ部２０ａをこの開口部に押し付けてコネクタ体１０を回転させると、開口部の長円形状とフランジ部２０ａの長円形状とが合致したときに、フランジ部２０ａが開口部に挿通される。次に、コネクタ体１０をコネクタ体２０に対して相対的に回転させることにより、ラッチ板２、３が段部２０ｃに係合して、コネクタ体１０とコネクタ体２０とが固定される。この後、押しボタン部２ｂ、３ｂから手を離すと、ラッチ板２、３は、板バネ５の付勢力により２つの孔２ａ、３ａの重なりが少ない状態（第１の状態）へ復帰する。
【００６４】
この係合状態においては、フランジ部２０ａの先端がＯリング（気密部材であって、輪状のパッキン）４を介してコネクタ筐体１を押圧した状態で、コネクタ体１０とコネクタ体２０とが固定される。これにより、Ｏリング４は弾性変形してフランジ部２０ａの先端に密着するため、コネクタ筐体１の流体経路１ｃとコネクタ体２０の流体経路２０ｄとの間が気密状態となる。
【００６５】
取外し動作においては、コネクタ筐体１の側面から突き出た押しボタン部２ｂ、３ｂを両側から挟むように内方へ押すと、２つのラッチ板２、３が互いに引き合うように相対的にスライドして、孔２ａ、３ａの重なりが多い状態（第２の状態）となる。この状態で、コネクタ体２０に対してコネクタ体１０を回転させると、２つの孔２ａ、３ａの重なりあった開口部の長円形状とフランジ部２０ａの長円形状とが合致したときに、フランジ部２０ａを開口部から抜くことができ、コネクタ体１０からコネクタ体２０を取り外すことができる。
【００６６】
本実施の形態によれば、実施の形態１と同様、Ｏリング４による気密位置と異なる位置（段部２０ｃ）で２つのラッチ板２、３がコネクタ体１０およびコネクタ体２０を着脱可能に固定している。このため、Ｏリング４の損傷による流体経路１ｃと流体経路２０ｄとの間からの漏気を防止でき、流体経路１ｃと流体経路２０ｄとの間の気密を確保することができる。
【００６７】
またコネクタ体１０およびコネクタ体２０の着脱の際に、エアチューブ５０を着脱する必要がないため、エアチューブ５０から漏気することもない。
【００６８】
またＯリング４による気密位置と異なる位置（段部２０ｃ）で２つのラッチ板２、３がコネクタ体１０およびコネクタ体２０を着脱可能に固定しているため、コネクタ体１０およびコネクタ体２０の接続を容易にすることができる。
【００６９】
また２つのラッチ板２、３を相対的にスライドさせることにより、２つの孔２ａ、３ａの重なり部分の寸法を制御することができるため、スライドさせるという簡易な操作により、コネクタ体１０とコネクタ体２０との着脱が可能となり、被験者が片手の操作で着脱することも可能となる。
【００７０】
またラッチ板２、３は、２つの孔２ａ、３ａの重なりが少ない状態となるように板バネ５により付勢されているため、固定状態における被験者の負担を軽減することができる。
【００７１】
（実施の形態３）
図１５は、本発明の実施の形態３における血圧測定装置の接続部材の構成およびカフの一部の構成を概略的に示す断面図である。図１５を参照して、接続部材１３０は、コネクタ体１１０と、コネクタ体（コネクタ部材）１２０とを有している。
【００７２】
コネクタ体１１０は、ベース（コネクタ部材）１０１と、回転レバー（固定部材）１０２と、Ｏリング（気密部材）１０４とを有している。ベース１０１は、カフ４０に内包される空気袋４１の内部空間に通じる流体経路１０１ｃを有している。Ｏリング（輪状のパッキン）１０４は、この流体経路１０１ｃの開口端の周囲を取り囲むように配置されている。回転レバー１０２は、ベース１０１に対して回転可能に支持されている。また回転レバー１０２は爪部１０２ａを有しており、この爪部１０２ａはベース１０１に設けられた凹部１０１ａに係合可能である。
【００７３】
コネクタ体１２０は、エアチューブ（図示せず）の流体経路に通じる流体経路１２０ｄと、その流体経路１２０ｄの開口部周縁にてＯリング１０４に当接可能な当接部１２０ａと、回転レバー１０２により押圧され得る被押圧部１２０ｃとを有している。このように回転レバー１０２よりなる固定部材は、Ｏリング１０４による気密部分と異なる位置でコネクタ体１２０の被押圧部１２０ｃを押圧することでコネクタ体１１０に対してコネクタ体１２０を固定するように構成されている。
【００７４】
なおカフ４０は、例えば空気袋４１と、その空気袋４１を内包するための外布４２および内布４３とを有している。
【００７５】
次に、本実施の形態の接続部材１３０におけるコネクタ体１１０、１２０の着脱動作（取付け・取外し動作）について説明する。
【００７６】
取付け動作においては、図１５を参照して、まず回転レバー１０２をベース１０１に対して開くように回動させることにより、ベース１０１の流体経路１０１ｃおよびＯリング１０４を露出させる。この状態で、コネクタ体１２０の当接部１２０ａがＯリング１０４に当接するようにコネクタ体１２０がベース１０１上に配置される。この後、回転レバー１０２をベース１０１に対して閉じるように回動させる。
【００７７】
図１６を参照して、この回転レバー１０２の回動により、回転レバー１０２の爪部１０２ａがベース１０１の凹部１０１ａに嵌り、回転レバー１０２がベース１０１に固定される。これにより、コネクタ体１１０に対してコネクタ体１２０を取付けた状態とすることができる。この状態で、コネクタ体１２０は被押圧部１２０ｃにて回転レバー１０２から押圧され、コネクタ体１２０の当接部１２０ａがＯリング１０４を介してベース１０１を押圧する。これにより、Ｏリング１０４は弾性変形して当接部１２０ａに密着するため、ベース１０１の流体経路１０１ｃとコネクタ体１２０の流体経路１２０ｄとの間が気密状態となる。
【００７８】
取外し動作においては、図１６を参照して、回転レバー１０２を回動させて、その端部を上に持ち上げることにより、回転レバー１０２の爪部１０２ａとベース１０１の凹部１０１ａとの係合が解除されるとともに、回転レバー１０２によるコネクタ体１２０の押圧も解除される。
【００７９】
図１５を参照して、回転レバー１０２を同じ方向に十分に回動させることにより、コネクタ体１２０がコネクタ体１１０から取外し可能とされる。この後、コネクタ体１２０がベース１０１から取り外される。
【００８０】
本実施の形態によれば、実施の形態１と同様、Ｏリング１０４による気密位置と異なる位置（被押圧部１２０ｃ）で回転レバー１０２がコネクタ体１１０およびコネクタ体１２０を着脱可能に固定している。このため、Ｏリング１０４の損傷による流体経路１０１ｃと流体経路１２０ｄとの間からの漏気を防止でき、流体経路１０１ｃと流体経路１２０ｄとの間の気密を確保することができる。
【００８１】
またコネクタ体１１０およびコネクタ体１２０の着脱の際に、エアチューブを着脱する必要がないため、エアチューブから漏気することもない。
【００８２】
またＯリング１０４による気密位置と異なる位置（被押圧部１２０ｃ）で回転レバー１０２がコネクタ体１１０およびコネクタ体１２０を着脱可能に固定している。このため、固定位置において気密を考慮する必要がない。よって、従来例のように気密位置と固定位置とが同じものと比較して、コネクタ体１１０およびコネクタ体１２０の接続を容易にすることができる。
【００８３】
また回転レバー１０２をベース１０１に対して回転させることにより、コネクタ体１２０の押圧、非押圧を制御することができるため、回転という簡易な操作により、コネクタ体１１０とコネクタ体１２０との着脱が可能となり、被験者が片手の操作で着脱することも可能となる。
【００８４】
（実施の形態４）
図１７は、本発明の実施の形態４における血圧測定装置の接続部材の構成およびカフの一部の構成を概略的に示す断面図である。図１７を参照して、接続部材２３０は、コネクタ体２１０と、コネクタ体（コネクタ部材）２２０とを有している。
【００８５】
コネクタ体２１０は、コネクタ筐体（コネクタ部材）２０１と、例えば２つの爪部（固定部材）２０２と、Ｏリング（気密部材）２０４とを有している。コネクタ筐体２０１は、例えば有底筒状の形状を有し、その側面から突き出すチューブ接続口２０１ａを有している。チューブ接続口２０１ａはエアチューブ５０を接続する部分であり、エアチューブ５０と流体結合するための流体経路２０１ｃを有している。この流体経路２０１ｃはチューブ接続口１ａから筒状の内部まで延びて筒状の下部にて開口している。
【００８６】
Ｏリング（輪状のパッキン）２０４は、この流体経路２０１ｃの下部開口端の周囲を取り囲むように配置されている。また２つの爪部２０２は、コネクタ筐体２０１の筒状部下端から下方に延びるように設けられている。
【００８７】
コネクタ体２２０は、円筒部２２０ｂと、その円筒部２２０ｂの先端に配置された拡径部２２０ａとを有している。拡径部２２０ａは円筒部２２０ｂよりも拡大された径を有している。拡径部２２０ａと円筒部２２０ｂとの境界には段部２２０ｃが形成されている。コネクタ体２２０の内部には拡径部２２０ａと円筒部２２０ｂとの内部を貫通する流体経路２２０ｄが形成されている。このコネクタ体２２０は、例えばカフ４０に固定されており、コネクタ体２２０の流体経路２２０ｄはカフ４０に内包される空気袋４１の内部空間に通じている。コネクタ体２２０は、図１８に示すように、爪部２０２を挿通可能な切欠部２２０ｂを拡径部２２０ａに有している。この切欠部２２０ｂは拡径部２２０ａを軸方向に貫通している。
【００８８】
これにより、爪部２０２が切欠部２２０ｂに挿通された後に、コネクタ体２２０に対してコネクタ体２１０を相対的に回転させることにより爪部２０２が段部２２０ｃに係合するように構成されている。このように爪部２０２よりなる固定部材は、Ｏリング２０４による気密部分と異なる位置（段部２２０ｃ）でコネクタ体２２０の段部２２０ｃに係合することでコネクタ体２１０に対してコネクタ体２２０を固定するように構成されている。
【００８９】
次に、本実施の形態の接続部材２３０におけるコネクタ体２１０、２２０の着脱動作（取付け・取外し動作）について説明する。
【００９０】
取付け動作においては、図１７および図１８を参照して、爪部２０２と切欠部２２０ｂとの位置合わせをした後に、コネクタ体２２０に対してコネクタ体２１０が押し付けられる。これにより、爪部２０２が切欠部２２０ｂに挿通されて、爪部２０２の位置が段部２２０ｃの深さにまで達する。この状態で、コネクタ体２２０に対してコネクタ体２１０を相対的に回転させることにより爪部２０２が段部２２０ｃに係合する。これにより、コネクタ体２２０に対してコネクタ体２１０が固定される。
【００９１】
この係合状態においては、拡径部２２０ａの先端がＯリング２０４を介してコネクタ筐体２０１を押圧した状態で、コネクタ体２１０とコネクタ体２２０とが固定される。これにより、Ｏリング２０４は弾性変形して拡径部２２０ａの先端に密着するため、コネクタ筐体２０１の流体経路２０１ｃとコネクタ体２２０の流体経路２２０ｄとの間が気密状態となる。
【００９２】
取外し動作においては、コネクタ体２２０に対してコネクタ体２１０を相対的に回転させることにより、爪部２０２を切欠部２２０ｂの位置まで移動させる。これにより、爪部２０２と段部２２０ｃとの係合が解除される。この後、コネクタ体２２０に対してコネクタ体２１０を引き離す方向に力を加えることにより、爪部２０２が切欠部２２０ｂを通って移動し、最終的に爪部２０２が切欠部２２０ｂから抜けて、コネクタ体２２０からコネクタ体２１０を取り外すことができる。
【００９３】
本実施の形態によれば、実施の形態１と同様、Ｏリング２０４による気密位置と異なる位置（段部２２０ｃ）で爪部２０２がコネクタ体２１０およびコネクタ体２２０を着脱可能に固定している。このため、Ｏリング２０４の損傷による流体経路２０１ｃと流体経路２２０ｄとの間からの漏気を防止でき、流体経路２０１ｃと流体経路２２０ｄとの間の気密を確保することができる。
【００９４】
またコネクタ体２１０およびコネクタ体２２０の着脱の際に、エアチューブ５０を着脱する必要がないため、エアチューブ５０から漏気することもない。
【００９５】
またＯリング２０４による気密位置と異なる位置（段部２２０ｃ）で爪部２０２がコネクタ体１１０およびコネクタ体１２０を着脱可能に固定している。このため、固定位置において気密を考慮する必要がない。よって、従来例のように気密位置と固定位置とが同じものと比較して、コネクタ体２１０およびコネクタ体２２０の接続を容易にすることができる。
【００９６】
また爪部２０２を切欠部２２０ｂに挿通して回転させるという簡易な操作で、コネクタ体２１０とコネクタ体２２０との着脱操作が可能となり、被験者が片手の操作で着脱することも可能となる。
【００９７】
なお上記実施の形態１および２においてはコネクタ体２０がカフ側に取り付けられ、コネクタ体１０がエアチューブ側に取り付けられる場合について説明したが、コネクタ体１０がカフ側に取り付けられ、コネクタ体２０がエアチューブ側に取り付けられてもよい。
【００９８】
また上記実施の形態１および２においてコネクタ体２０がカフ側に取り付けられる場合、コネクタ体２０は図１９（ａ）に示すようにカフ４０の外布４２に固定されてもよく、図１９（ｂ）に示すように外布４２と空気袋４１との間に追加したカーラ４４に固定されていてもよい。カーラ４４は、略円筒状に巻き回された板状部材からなる可撓性部材であり、例えばポリプロピレン樹脂などの樹脂材料にて形成されている。
【００９９】
また上記実施の形態１および２においてコネクタ体１０がカフ側に取り付けられる場合においても、上記と同様、コネクタ体１０はカフの外布に固定されてもよく、カフのカーラに固定されていてもよい。
【０１００】
また実施の形態３においては図１６に示すようにベース１０１が外布４２に固定された場合について説明したが、ベース１０１は図２０に示すようにカーラ４４に固定されてもよい。
【０１０１】
また上記実施の形態４においてはコネクタ体２２０がカフ４０側に取り付けられ、コネクタ体２１０がエアチューブ５０側に取り付けられる場合について説明したが、コネクタ体２１０がカフ４０側に取り付けられ、コネクタ体２２０がエアチューブ５０側に取り付けられてもよい。
【０１０２】
また上記実施の形態４においてコネクタ体２２０がカフ４０側に取り付けられる場合、コネクタ体２２０は図１７に示すようにカフ４０のカーラ４４に固定されてもよく、また外布４２に固定されていてもよい。
【０１０３】
また上記実施の形態４においてコネクタ体２１０がカフ側に取り付けられる場合においても、上記と同様、コネクタ体２１０はカフの外布に固定されてもよく、カフのカーラに固定されていてもよい。
【０１０４】
また上記実施の形態１〜４において、エアチューブ側に固定されるコネクタ体およびカフ側に固定されるコネクタ体は、あらゆるプラスティック材料で実現可能であるが、夜光塗料などを混入または塗布させることにより、暗い環境でも簡単に位置を確認することができるようになっていることが好ましい。また、この夜光塗料などの材料を施すのはカフ側に固定されるコネクタ体でなく、そのコネクタ体が設置されるカフの一部分でもよく、またカフ側に固定されるコネクタ体とカフの一部分との双方であってもよい。また発光機能を有する要素が上記部分に配置されればよく、その発光機能を有する要素は夜光塗料に限定されるものではない。
【０１０５】
また上記の実施の形態においては流体袋の一例として、内部に加圧空気が注入されて膨縮可能な空気袋を採用した場合について説明したが、流体袋は空気袋に限定されるものではなく、他の気体が注入される気体袋や液体が注入される液体袋であってもよい。
【０１０６】
また上記の実施の形態においては上腕を圧迫固定して血圧値を測定する血圧測定装置について説明したが、本発明の血圧測定装置は手首式の血圧測定装置にも当然に適用でき、さらには前腕、下肢、胴体など生体のあらゆる部位の血圧測定に適用することができる。
【０１０７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０８】
本発明は、血圧測定装置に関し、カフと本体との接続構造を有する血圧測定装置に特に有利に適用され得る。
【図面の簡単な説明】
【０１０９】
【図１】本発明の実施の形態１における血圧測定装置の構成を概略的に示す斜視図である。
【図２】図１に示した血圧測定装置の機能ブロックを示す図である。
【図３】本発明の実施の形態１における血圧測定装置の血圧測定処理の流れを示すフローチャートである。
【図４】図４は本発明の実施の形態１における血圧測定装置の接続部材の構成を概略的に示す一部破断平面図である。
【図５】図４の矢印Ａ方向から見た側面図である。
【図６】図４のＶＩ−ＶＩ線に沿う断面図である。
【図７】図４のＶＩＩ−ＶＩＩ線に沿う断面図である。
【図８】本発明の実施の形態１における血圧測定装置のコネクタ体２０の構成を示す図である。
【図９】本発明の実施の形態１における血圧測定装置のコネクタ体２０をカフに取り付けた様子を示す概略斜視図である。
【図１０】本発明の実施の形態２における血圧測定装置の接続部材の構成を概略的に示す一部破断平面図である。
【図１１】図１０の矢印Ａ方向から見た側面図である。
【図１２】図１０のＸＩＩ−ＸＩＩ線に沿う断面図である。
【図１３】図１０のＸＩＩＩ−ＸＩＩＩ線に沿う断面図である。
【図１４】本発明の実施の形態２における血圧測定装置のコネクタ体２０の構成を示す図である。
【図１５】本発明の実施の形態３における血圧測定装置の接続部材の構成およびカフの一部の構成を概略的に示す断面図である。
【図１６】図１５に示す血圧測定装置においてコネクタ体同士を固定した状態を示す概略断面図である。
【図１７】本発明の実施の形態４における血圧測定装置の接続部材の構成およびカフの一部の構成を概略的に示す断面図である。
【図１８】図１７に示すコネクタ体２２０の平面図である。
【図１９】本発明の実施の形態１および２における血圧測定装置のコネクタ体２０を外布に取り付けた構成（ａ）、カーラに取り付けた構成（ｂ）を示す概略断面図である。
【図２０】本発明の実施の形態３における血圧測定装置のベースをカーラに取り付けた構成を示す概略断面図である。
【符号の説明】
【０１１０】
１，２０１  コネクタ筐体、１ａ，２０１ａ  チューブ接続口、１ｂ  孔、１ｃ，２０ｄ，１０１ｃ，１２０ｄ，２０１ｃ，２２０ｄ  流体経路、２，３  ラッチ板、２ａ，３ａ  孔、２ｂ，３ｂ  ボタン部、４，１０４，２０４  Ｏリング、５  板バネ、１０，２０，１１０，１２０，２１０，２２０  コネクタ体、２０ａ  フランジ部、２０ｂ，２２０ｂ  円筒部、２０ｃ，２２０ｃ  段部、３０，１３０，２３０  カフ側接続部材、４０  カフ、４１  空気袋、４２  外布、４３  内布、４４  カーラ、５０  エアチューブ、６０  血圧測定装置本体、７０  本体側接続部材、１００  血圧測定装置、１０１  ベース、１０１ａ  凹部、１０２  回転レバー、１０２ａ  爪部、１１１  エアポンプ、１１２  エアバルブ、１１３  圧力センサ、１１４  エアポンプ駆動回路、１１５  エアバルブ駆動回路、１１６  増幅器、１１７  コンバータ、１２０ａ  当接部、１２０ｃ  被押圧部、１２１  血圧測定用エア系コンポーネント、１２２  膨縮部材、１３１  ＣＰＵ、１３２  操作部、１３３  表示部、１３４  メモリ部、１３５  タイマ、２０２  爪部、２２０ｂ  切欠部、２２０ａ  拡径部。
【図１】
2007259911.tif 000003
【図２】
2007259911.tif 000004
【図３】
2007259911.tif 000005
【図４】
2007259911.tif 000006
【図５】
2007259911.tif 000007
【図６】
2007259911.tif 000008
【図７】
2007259911.tif 000009
【図８】
2007259911.tif 000010
【図９】
2007259911.tif 000011
【図１０】
2007259911.tif 000012
【図１１】
2007259911.tif 000013
【図１２】
2007259911.tif 000014
【図１３】
2007259911.tif 000015
【図１４】
2007259911.tif 000016
【図１５】
2007259911.tif 000017
【図１６】
2007259911.tif 000018
【図１７】
2007259911.tif 000019
【図１８】
2007259911.tif 000020
【図１９】
2007259911.tif 000021
【図２０】
2007259911.tif 000022